(57)【要約】【課題】直管ＬＥＤランプの管部分に傷を付け難くする。【解決手段】各保持片52は、ランプ８の軸方向に沿った両端を除く部位において、ランプ８の管部分に対向する面の少なくとも一部(突条54)が管部分に向かって突出するように構成されている。したがって、一対の保持片52の間にランプ８の管部分が弾性的に挟持されるとき、突条54の先端部分のみがランプ８の管部分と接触することになる。すなわち、突条54の先端部分のみがランプ８の管部分と接触し、保持片52の縁が管部分に接触しないため、保持片52の縁が接触する場合と比較して、ランプ８の管部分に傷を付け難くすることができる。【選択図】        図１
2014191930.tif 000002
【特許請求の範囲】
【請求項１】
天井に配設される器具本体と、前記器具本体に取り付けられて直管ＬＥＤランプの口金が着脱自在に装着される複数のランプソケットと、前記器具本体に取り付けられて前記直管ＬＥＤランプの管部分を支持する１乃至複数のランプ支持ばねとを備え、
前記ランプ支持ばねは、平板状の取付片と、前記取付片の幅方向における両端からそれぞれ垂下された一対の腕片と、前記各腕片の先端からそれぞれ垂下され且つ弧状に形成された一対の保持片と、前記各保持片の先端から互いに離れる向きに突出する一対の案内片とを有し、
前記保持片は、前記直管ＬＥＤランプの軸方向に沿った両端を除く部位において、前記直管ＬＥＤランプの前記管部分に対向する面の少なくとも一部が前記管部分に向かって突出するように構成されることを特徴とする照明器具。
【請求項２】
前記保持片は、前記管部分に対向する面に、前記直管ＬＥＤランプの周方向に沿った１乃至複数の突条が形成されることを特徴とする請求項１記載の照明器具。
【請求項３】
前記保持片は、前記管部分に対向する面に１乃至複数の突部が形成されることを特徴とする請求項１記載の照明器具。
【請求項４】
前記保持片は、前記直管ＬＥＤランプの軸方向に沿った両端が前記管部分から離れる向きに曲げられてなることを特徴とする請求項１〜３の何れか１項に記載の照明器具。
【発明の詳細な説明】
【技術分野】
【０００１】
本発明は、直管ＬＥＤランプ用の照明器具に関する。
【背景技術】
【０００２】
近年、直管形蛍光ランプ及び直管形蛍光ランプ用の照明器具に代えて、直管ＬＥＤランプ及び直管ＬＥＤランプ用の照明器具が普及しつつある(特許文献１参照)。特許文献１記載の照明器具は、天井に埋込配設される矩形箱状の器具本体と、器具本体の内底面に取り付けられる反射板と、一対のランプソケットと、ランプ支持ばねとを備える。
【０００３】
ランプソケットは、反射板の長手方向の両端にそれぞれ設けられている。なお、直管ＬＥＤランプは、両端の口金から突出するピンをランプソケットの下面に設けられた溝に挿入した後、軸の周りに約９０度回転させることでランプソケットに装着される。
【０００４】
ランプ支持ばねは、金属製の板材が略Ω形状に曲げ加工されてなり、直管ＬＥＤランプの管部分を嵌め込んで支持している。
【先行技術文献】
【特許文献】
【０００５】
【特許文献１】特開２０１３−２６０３２号公報
【発明の概要】
【発明が解決しようとする課題】
【０００６】
ところで、直管形蛍光ランプでは管部分がガラス製であったが、直管ＬＥＤランプでは管部分が合成樹脂(例えば、ポリカーボネート)製の場合がある。管部分が合成樹脂製である場合、ランプ支持ばねのエッジ(縁)で管部分の表面に傷を付け易いというという問題がある。
【０００７】
本発明は、上記課題に鑑みて為されたものであり、直管ＬＥＤランプの管部分に傷を付け難くすることを目的とする。
【課題を解決するための手段】
【０００８】
本発明の照明器具は、天井に配設される器具本体と、前記器具本体に取り付けられて直管ＬＥＤランプの口金が着脱自在に装着される複数のランプソケットと、前記器具本体に取り付けられて前記直管ＬＥＤランプの管部分を支持する１乃至複数のランプ支持ばねとを備え、前記ランプ支持ばねは、平板状の取付片と、前記取付片の幅方向における両端からそれぞれ垂下された一対の腕片と、前記各腕片の先端からそれぞれ垂下され且つ弧状に形成された一対の保持片と、前記各保持片の先端から互いに離れる向きに突出する一対の案内片とを有し、前記保持片は、前記直管ＬＥＤランプの軸方向に沿った両端を除く部位において、前記直管ＬＥＤランプの前記管部分に対向する面の少なくとも一部が前記管部分に向かって突出するように構成されることを特徴とする。
【０００９】
この照明器具において、前記保持片は、前記管部分に対向する面に、前記直管ＬＥＤランプの周方向に沿った１乃至複数の突条が形成されることが好ましい。
【００１０】
この照明器具において、前記保持片は、前記管部分に対向する面に１乃至複数の突部が形成されることが好ましい。
【００１１】
この照明器具において、前記保持片は、前記直管ＬＥＤランプの軸方向に沿った両端が前記管部分から離れる向きに曲げられてなることが好ましい。
【発明の効果】
【００１２】
本発明の照明器具は、一対の保持片の間に直管ＬＥＤランプの管部分が弾性的に挟持されるとき、管部分に向かって突出する保持片の一部のみが管部分と接触するため、保持片の縁が管部分に接触する場合と比較して、直管ＬＥＤランプの管部分に傷を付け難くすることができるという効果がある。
【図面の簡単な説明】
【００１３】
【図１】本発明に係る照明器具の実施形態を示し、ランプ支持ばねと直管ＬＥＤランプの断面図である。
【図２】同上の分解斜視図である。
【図３】同上の斜視図である。
【図４】同上におけるランプ支持ばねの斜視図である。
【図５】(ａ)，(ｂ)は同上における他の構成のランプ支持ばねを示す斜視図である。
【図６】同上におけるランプソケットと直管ＬＥＤランプの斜視図である。
【図７】本発明に係る照明器具の別の実施形態を示す斜視図である。
【図８】本発明に係る照明器具のさらに別の実施形態を示す斜視図である。
【発明を実施するための形態】
【００１４】
以下、本発明に係る照明器具の実施形態について図面を参照して詳細に説明する。本実施形態は、一般社団法人日本電球工業会規格JEL801「Ｌ形ピン口金GX16t-5付直管形ＬＥＤランプシステム(一般照明用)」に準拠した直管ＬＥＤランプ(以下、ランプと略す。)８を光源とする。ただし、前記規格に準拠しない直管ＬＥＤランプを光源とする照明器具にも本発明の技術思想は適用可能である。
【００１５】
ランプ８は、図６に示すように円筒状の管部分と、管部分の両端に設けられる一対の口金82，83とを有する。管部分は、透光性を有する合成樹脂(例えば、ポリカーボネート)からなる半円筒形状のカバー80と、熱伝導度が相対的に高く且つ軽量な金属(例えば、アルミ)からなる半円柱形状の放熱部材81とで構成される。放熱部材81は、カバー80と対向する内底面に、多数のＬＥＤを直線上に並べて実装した長尺の基板が取り付けられており、多数のＬＥＤが発する熱を管部分の外に放熱している。なお、放熱部材81の外表面には、軸方向(長手方向)に沿った長尺の凹溝810が、周方向に沿って等間隔に並べて設けられている。
【００１６】
本実施形態の照明器具は、図２及び図３に示すように器具本体１と、二組のランプソケット２，３と、反射板４と、ランプ支持ばね５とを備える。器具本体１は、金属板を折り曲げ加工することにより、下面側が開放された断面略コ字形に形成され、天井に設けられた取付ボルト100が挿通される一対の挿通孔(図示せず)が穿孔されている。すなわち、器具本体１を天井に取り付ける際には、挿通孔に挿通された取付ボルト100に座金101を介装してナット102を締め付ければよい。
【００１７】
また、器具本体１は、長手方向の略中央に、商用電源よりなる交流電源に接続され天井裏に先行配線されている電源線103を引き込むための電源線挿通孔10が穿孔されている。さらに、器具本体１の下面には、長手方向において電源線挿通孔10を挟むように端子台７及び電源装置６が取り付けられている。ここに、電源線挿通孔10を通して引き込まれた電源線103が端子台７に接続される。なお、電源装置６は、商用電源から供給される交流電力を直流電力に変換する電力変換回路(ＡＣ／ＤＣコンバータ)等が実装されたプリント配線板(図示せず)を金属製のケースに収納して構成されている。ただし、このような電源装置６は従来周知であるから、詳細な構成及び動作の図示並びに説明を省略する。
【００１８】
対を為す２種類のランプソケット２，３は、一般社団法人日本電球工業会規格JEL801「Ｌ形ピン口金GX16t-5付直管形ＬＥＤランプシステム(一般照明用)」に準拠しており、一方のランプソケット２が給電用であり、他方のランプソケット３が接地用である。すなわち、給電用のランプソケット２は、片側の口金82に設けられた一対のＬ形ピン820が接続され、これら一対のＬ形ピン82間に直流電圧を印加するように構成されている。また、接地用のランプソケット３は、もう片側の口金83に設けられた接地ピン830が接続され、当該接地ピン830を機械的に保持するとともに、グランドに接地されている器具本体１と電気的に接続する。ただし、ランプソケット３に接続される接地ピン830は、器具本体１と電気的に接続されず、機械的な保持のみに用いられる場合もある。
【００１９】
反射板４は、金属板を折り曲げ加工することで断面略Ｖ字形に形成され、下面開口を覆うように器具本体１に取り付けられる。なお、反射板４は、器具本体１の長手方向の両端及び中央に設けられた３つの固定具11に、それぞれつまみねじ12をねじ止めすることで器具本体１に取り付けられる。また、反射板４は、長手方向の両端部において、それぞれランプソケット２，３が挿通されるソケット挿通孔40が設けられている。さらに、反射板４の長手方向における中央付近には、ランプ支持ばね５を取り付けるための取付孔41が設けられている。
【００２０】
ランプ支持ばね(以下、支持ばねと略す。)５は、図４に示すように取付片50、一対の腕片51、一対の保持片52、一対の案内片53が、ばね性を有する金属板を打ち抜き加工及び曲げ加工することで略Ω形に一体に形成されてなる。なお、以下の説明では、特に断りの無い限り、図４において上下左右前後の各方向を規定する。
【００２１】
取付片50は、全体が矩形平板状であって、前後方向中央の左右両端部分に第１係合片500及び第２係合片501が切り起こして形成されている。第１係合片500は、先端部分が外向き(右向き)に略直角に曲げられている。一方、第２係合片501は、先端部分が内向き(右斜め下向き)に鋭角に曲げられている。つまり、一方の取付孔41に第１係合片500を挿入係止した後、他方の取付孔41に第２係合片501を挿入係止することによって、取付片50(支持ばね５)が反射板４に取り付けられる。
【００２２】
各腕片51は、矩形平板状であり、取付片50の左右両端より下向きに曲げ起こされている。ただし、各腕片51は、下端に向かうほど互いの間隔を狭くするように僅かに傾斜している。
【００２３】
各保持片52は、取付片50の下端より下方に垂下し、且つ外向きに凸となる円弧状に形成されている。各案内片53は、保持片52の下端から外向き且つ下向きに突出している。
【００２４】
ここで、各保持片52は、管部分に対向する面にランプ８の周方向(上下方向)に沿った突条54が形成されている。言い換えると、各保持片52は、ランプ８の軸方向に沿った両端を除く部位において、ランプ８の管部分に対向する面の少なくとも一部が管部分に向かって突出するように構成されている。したがって、一対の保持片52の間にランプ８の管部分が弾性的に挟持されるとき、突条54の先端部分のみがランプ８の管部分と接触することになる(図１参照)。なお、突条54は保持片52だけでなく案内片53にも形成されている。
【００２５】
ここで、ランプ８の管部分の一部が合成樹脂製であるため、ランプ８の着脱時に金属材料製の支持ばね５のエッジ(縁)が管部分に摺接すると管部分の表面に傷が付き易い。これに対して本実施形態では、突条54の先端部分のみがランプ８の管部分と接触し、保持片52の縁が管部分に接触しない。そのため、保持片52の縁が接触する場合と比較して、ランプ８の管部分に傷を付け難くすることができる。
【００２６】
また、図５(ａ)に示すように保持片52(及び案内片53)に複数(図示例では２つ)の突条54を設けても構わない。あるいは、図５(ｂ)に示すように、突条54の代わりに、略半球状の突部55を設けても構わない。ただし、突条54は、突部55よりもランプ８の管部分との接触面積が大きいため、支持ばね５のばね力による管部分の負担を軽減できるという利点がある。なお、突条54や突部55を設ける代わりに、各保持片52の前後方向における端縁を、ランプ８から離れる向き(外向き)に曲げ起こしても構わない。
【００２７】
本実施形態は、器具本体１に２本のランプ８を装着する２灯式の照明器具を例示したが、図７に示すように１本のランプ８のみを装着する１灯式の照明器具であっても構わない。あるいは、図８に示すような構造の照明器具であっても構わない。図８に示す照明器具は、例えば、博物館又は美術館の展示室の壁に掛けられた展示物(例えば、絵画)を照明したり、講義室や教室の壁に設置された黒板を照明するものである。
【符号の説明】
【００２８】
１  器具本体
２  ランプソケット
３  ランプソケット
５  ランプ支持ばね
８  直管ＬＥＤランプ
50  取付片
51  腕片
52  保持片
53  案内片
54  突条
【図１】
2014191930.tif 000003
【図２】
2014191930.tif 000004
【図３】
2014191930.tif 000005
【図４】
2014191930.tif 000006
【図５】
2014191930.tif 000007
【図６】
2014191930.tif 000008
【図７】
2014191930.tif 000009
【図８】
2014191930.tif 000010